(57)【特許請求の範囲】
【請求項１】
什器本体から接地部に向けて延びるとともに、長手方向と交差する断面において外周壁が湾曲する形状をなす脚管と、
前記脚管の長手方向で前記脚管の前記接地部側の先端部内に先端開口から挿入される軸部を有し、前記軸部を前記先端部内に挿入した状態で前記脚管に取り付けられる脚端具と、
前記脚管の長手方向と交差する方向で前記先端部の前記外周壁を貫通し、前記先端部内に挿入された前記軸部に螺合して前記軸部の前記先端部からの抜けを規制する止めネジと、
前記外周壁に整合する湾曲状の整合面において前記外周壁に接することによって、前記外周壁の外側に前記止めネジ用の座面を形成するワッシャ部材と、を備え、
前記脚端具は、前記先端開口から前記接地部側に突出する接地側突部を備え、該接地側突部に形成された取付孔にキャスターが取り付けられ、
前記接地側突部における前記取付孔よりも前記脚管寄りの前記ワッシャ部材と対向する部位、及び前記ワッシャ部材における前記接地側突部と対向する部位には、前記ワッシャ部材を前記接地側突部に係合させて前記ワッシャ部材の前記止めネジとの共回りを規制する共回り規制部を備えることを特徴とする什器用脚端部構造。
【請求項２】
前記ワッシャ部材は、前記脚管への取り付け状態で前記接地側突部の外面と平坦状に連なるワッシャ外面を備えることを特徴とする請求項１に記載の什器用脚端部構造。
【請求項３】
前記接地側突部は、前記脚管の前記接地部側の先端面を覆う鍔状に形成されることを特徴とする請求項１又は２に記載の什器用脚端部構造。
【請求項４】
前記共回り規制部は、前記ワッシャ部材及び接地側突部における他方との対向部分にそれぞれ形成されて互いに嵌合する凸部及び凹部を備えることを特徴とする請求項１から３の何れか一項に記載の什器用脚端部構造。
【請求項５】
前記凹部は、前記接地側突部に形成されるとともに、前記脚管の長手方向と交差する方向で前記接地側突部の外周側に開口し、
前記軸部には、前記止めネジを螺合するネジ孔が、前記接地側突部の外周側へ開口する前記凹部の内周面と略平行に形成されることを特徴とする請求項４に記載の什器用脚端部構造。
【請求項６】
請求項１から５の何れか一項に記載の什器用脚端部構造を備え、
前記脚管は、長手方向で前記接地部側が低くなるように床面に対して傾斜した状態で延在することを特徴とする什器。
【発明の詳細な説明】
【技術分野】
【０００１】
本発明は、什器の脚体を構成する脚管の端部を閉塞する脚端具を含む什器用脚端部構造、及びそれを備える什器に関する。
【背景技術】
【０００２】
上記技術分野に属する什器として、例えば、下記特許文献１に開示されるものが公知である。
この什器が備える脚端具は、什器の脚体における基部から接地部（キャスター）に向けて延びる脚管の先端部に、該先端部内に軸部を挿入、嵌合させた状態で取り付けられる。脚端部の軸部は、その挿入方向に直交する方向から止めネジを螺着することで、脚管からの抜け止めがなされる。
【先行技術文献】
【特許文献】
【０００３】
【特許文献１】特許第３９８７４１６号公報
【発明の概要】
【発明が解決しようとする課題】
【０００４】
ところで、脚管が角筒状であれば止めネジの座面確保が容易だが、円筒状の脚管のように湾曲状の脚外面を有するような場合、止めネジの座面確保のためにワッシャ部材を用いることが望ましい。このワッシャ部材は、脚外面に整合する湾曲状の整合面を備えることになるが、止めネジの締め込み等によりワッシャ部材が止めネジと共回りしてしまうと、整合面が脚外面に整合せずにこれらの間に隙間が生じてしまい、止めネジのトルク管理が難しくなるという課題がある。
【０００５】
本発明は、上記の課題に鑑みてなされたもので、什器用脚端部構造及びそれを備える什器において、脚管の先端部に取り付ける脚端具に脚管の外周側から螺着する止めネジの締め込みを容易かつ確実にすることを目的とする。
【課題を解決するための手段】
【０００６】
上記目的を達成するために、本発明は以下の手段を採用している。
すなわち、本発明に係る什器用脚端部構造は、什器本体から接地部に向けて延びる脚管と、前記脚管の長手方向で前記脚管の前記接地部側の先端部内に先端開口から挿入される軸部を有し、前記軸部を前記先端部内に挿入した状態で前記脚管に取り付けられる脚端具と、前記脚管の長手方向と交差する方向で前記先端部の外周壁を貫通し、前記先端部内に挿入された前記軸部に螺合して前記軸部の前記先端部からの抜けを規制する止めネジと、前記外周壁の外側に前記止めネジ用の座面を形成するワッシャ部材と、を備え、前記脚端具は、前記先端開口から前記接地部側に突出する接地側突部を備え、前記脚端具及びワッシャ部材の間には、前記ワッシャ部材を前記接地側突部に係合させて前記ワッシャ部材の前記止めネジとの共回りを規制する共回り規制部を備える。
この構成によれば、止めネジ用のワッシャ部材の止めネジとの共回りを、ワッシャ部材を前記接地側突部に係合させる共回り規制部によって容易かつ確実に規制することで、脚管が湾曲状の外面を有するような場合でも、止めネジのトルク管理を容易かつ確実に行うことができる。
すなわち、外周壁が湾曲状の脚外面を備え、ワッシャ部材が脚外面に整合する湾曲状の整合面を備えるような構成では、ワッシャ部材が止めネジと共回りすると、整合面が脚外面に整合せずこれらの間に隙間が生じてしまい、止めネジのトルク管理が難しくなる。一方、共回り規制部によってワッシャ部材の共回りを規制することで、ワッシャ部材の外周壁への整合状態を容易かつ確実に維持し、止めネジのトルク管理を容易かつ確実に行うことができる。
ここで、脚端具を成型する場合、その型割り方向を脚管及び脚端具の長手方向と交差する方向（径方向）とすることが考えられるが、この脚端具にワッシャ部材を一体形成しようとすると、ワッシャ部材における湾曲状の前記脚外面への整合面でオーバーハングが生じてしまい、スライド型を用いる等の対策が必要になる。又は、型割り方向を脚管及び脚端具の長手方向とする必要がある。このため、脚端具の製造コストを増加させたり、抜きテーパにより脚端具を先細りにさせたりするという課題が生じるが、このような課題は本発明では生じることはない。特に、脚管内に挿入される軸部が先細り形状ではなくなることで、接地反力によりキャスタ受け具に作用するモーメントに対してもガタの少ない堅牢な支持状態を維持することができる。
【０００７】
また、上記什器用脚端部構造において、前記ワッシャ部材は、前記脚管への取り付け状態で前記接地側突部の外面と平坦状に連なるワッシャ外面を備える構成としてもよい。
この構成によれば、互いに別体のワッシャ部材と接地側突部（脚端具）とが連続的に連なることで、止めネジ周辺の見栄えを向上させるとともに、止めネジ周辺の凹凸を抑え、良好な触感及び掃除のし易さを得ることができる。
【０００８】
また、上記什器用脚端部構造において、前記接地側突部は、前記脚管の前記接地部側の先端面を覆う鍔状に形成される構成としてもよい。
この構成によれば、脚管の先端面の露出を抑えた上で、脚管の先端開口を閉塞することができる。
【０００９】
また、上記什器用脚端部構造において、前記共回り規制部は、前記ワッシャ部材及び接地側突部における他方との対向部分にそれぞれ形成されて互いに嵌合する凸部及び凹部を備える構成としてもよい。
この構成によれば、ワッシャ部材及び接地側突部の各対向部分に形成された凸部及び凹部の嵌合によりワッシャ部材の共回りを規制することで、互いに別部材として構成されるワッシャ部材及び脚端具の相対的な位置関係を容易かつ確実に定め、外観体裁を良好にすることができる。
【００１０】
また、上記什器用脚端部構造において、前記凹部は、前記接地側突部に形成されるとともに、前記脚管の長手方向と交差する方向で前記接地側突部の外周側に開口し、前記軸部には、前記止めネジを螺合するネジ孔が、前記凹部における前記接地側突部の外周側への開口方向と略平行に形成される構成としてもよい。
この構成によれば、脚端具に形成される凹部とネジ孔とが互いに略平行に形成されるので、スライド型を用いる等の対策を要することなく凹部とネジ孔とを同時に成型することが可能となり、製造コストを抑えることができる。
【００１１】
また、本発明は、上記した何れか一つの什器用脚端部構造を備え、前記脚管は、長手方向で前記接地部側が低くなるように床面に対して傾斜した状態で延在する什器を含む。
この構成によれば、接地部側が低くなるように傾斜した脚管に脚端具を取り付ける場合にも、特に脚管内に挿入される軸部が先細り形状ではなくなるので、接地荷重により脚端具に作用するモーメントに対してもガタの少ない堅牢な支持状態を維持することができる。
【発明の効果】
【００１２】
本発明によれば、什器用脚端部構造及びそれを備える什器において、脚管の先端部に取り付ける脚端具に脚管の外周側から螺着する止めネジの締め込みを容易かつ確実にすることができる。
【図面の簡単な説明】
【００１３】
【図１】この発明の実施形態における椅子の正面図である。
【図２】上記椅子を右後上方から視た斜視図である。
【図３】上記椅子の脚管のキャスター周辺を見上げた斜視図である。
【図４】図３の分解斜視図である。
【図５】図３のＶ−Ｖ断面図である。
【図６】図５のＶＩ−ＶＩ断面図である。
【発明を実施するための形態】
【００１４】
以下、本発明の一実施形態について図面を参照して説明する。なお、以下の説明における前後左右等の向きは、特に記載が無ければ、椅子の座体上に背凭れに背を向けて着座した着座者における向きと同一とする。また、前記着座者における「前方」を図中矢印ＦＲで示し、前記着座者の「上方」を図中矢印ＵＰで示し、上記着座者の「左方」を図中矢印ＬＨで示す。
【００１５】
＜椅子全体＞
図１、図２に示すように、本実施形態の椅子（什器）１は、床面Ｆ上に載置される脚体２と、脚体２の上端部に設置される座支持体３と、座支持体３に支持されて着座者の臀部を支持する座４と、座４の後方側で座支持体３に支持されて着座者の背部を支持する背凭れ１２と、を備えている。
【００１６】
脚体２は、キャスター５ａ付きの多岐脚５と、多岐脚５の中央部より起立して昇降機構であるガススプリングを内蔵する脚柱６と、を備え、脚柱６の上端部に座支持体３が取り付けられている。多岐脚５は、脚体２における基部である脚柱６側から接地部であるキャスター５ａ側に向けて延びる複数（５本）の脚管１５を、上面視で放射状に配置してなる。各脚管１５は、その長手方向で接地部側が低くなるように床面Ｆに対して傾斜した状態で延在している。ここで、脚柱６、座支持体３、座４及び背凭れ１２の集合体を椅子本体（什器本体）とすると、各脚管１５は、椅子本体からキャスター５ａに向けて延びている。
【００１７】
座支持体３は、脚体２の脚柱６の上端部に支持され、内部に脚柱６（ガススプリング）の昇降操作機構が内蔵されるボックス状の支基７と、支基７の左右両縁部を前後方向に貫通した状態で支基７に固定される左右一対の支持フレーム１０と、支持フレーム１０の前端部同士を連結する前部連結フレーム１１と、を備えている。左右の支持フレーム１０と前部連結フレーム１１とは断面円形状の金属製のパイプ材によって形成されている。支基７には、昇降調整機構を操作する操作レバー９が右側方に突出して設けられている。
【００１８】
左右の支持フレーム１０の支基７から前方側に延出する領域は、上面視が略平行となるように一定間隔をなし、前縁部が座４の前部上方側に向かって湾曲して延出する延出杆１０ａを構成している。また、左右の支持フレーム１０の支基７から後方側に延出する領域は、座４の後方側に向かって相互の離間幅が拡大し、座４の後端部付近から上方側に起立して背凭れ支持杆１０ｂを構成している。
【００１９】
背凭れ支持杆１０ｂの上部には、樹脂によって一体成形された背凭れ１２の背板１２ａの左右の両縁部が嵌合状態で支持されている。背凭れ１２は、左右の背凭れ支持杆１０ｂを接続すると共に、左右の背凭れ支持杆１０ｂ間に後方に凸となる湾曲形状の受面を形成する。また、左右の背凭れ支持杆１０ｂのうち、背板１２ａの嵌合部の下方位置には、座４の左右の後縁部に連結される支持アーム１３が延設されている。支持アーム１３は、座４の側方を左右方向に延びる軸を介して支持している。
【００２０】
前部連結フレーム１１は、座支持体３の左右の延出杆１０ａの前上端部に溶接されて、延出杆１０ａ同士を連結する。前部連結フレーム１１は、座４の前縁部の下面に当接して、座４の荷重を直接受け止める。
【００２１】
座４は、金属製のパイプ材から成る平面視略矩形状の座フレーム（不図示）と、座フレームの下面側を覆う下部カバー４ａと、座フレームの上面側を覆う座面部材４ｂと、を備えている。
座フレームは、金属製の強度部材であって、座４の骨格を形成する。下部カバー４ａは、支持構造体に近接する樹脂製の板状部材であって、座４の下層を形成する。座面部材４ｂは、座４の上層を形成するものであって、基板に支持されるウレタン等のクッション材と、クッション材の上方側を覆うシート表皮材と、を有する。
【００２２】
座フレームの左右の後縁部には、上方側に向かって突出する連結アーム４ｃが突設されている。連結アーム４ｃは、座支持体３側の左右の支持アーム１３にそれぞれ左右方向に沿うボルト等によって連結、固定されている。下部カバー４ａの左右の後縁部には、座フレームの連結アーム４ｃの外側を覆うアームカバー４ｄが一体形成されている。
座４の前縁部は、座支持体３側の連結杆上に載置され、連結杆にビス止め等によって固定されている。
したがって、座４は、その前部側が座支持体３の連結杆に支持され、後部側が座支持体３の左右支持アーム１３に支持されている。
【００２３】
背凭れ１２は、背板１２ａを備えている。背板１２ａは、着座者の背中に沿うように中央部が後方に向けて膨出するように湾曲した板状の部材である。この背板１２ａは、着座者を後方から支え、着座者からの荷重を受けることが可能な剛性を有する樹脂等によって形成されている。この背板１２ａの左右両端部には、下方から背凭れ支持杆１０ｂを挿入可能な差込部が設けられている。背板１２ａは、これらの差込部に背凭れ支持杆１０ｂが差し込まれることによって、支持構造体に固定されている。背板１２ａには、直線状あるいは湾曲状の長孔（貫通孔）が多数形成されている。
【００２４】
＜キャスター受け具＞
図３〜図６に示すように、多岐脚５の各脚管１５は、それぞれ断面楕円形状をなして直線状に延在する円筒状の鋼管からなる。各脚管１５の接地部側（キャスター５ａ側）の先端部１６には、キャスター５ａを支持するキャスター受け具（脚端具）２０が取り付けられる。キャスター受け具２０は、例えば一体形成された樹脂成型品であり、脚管１５の先端部１６内に先端開口１６ａから挿入される軸部２１を有し、この軸部２１を先端部１６内に挿入した状態で、キャスター受け具２０が脚管１５に取り付けられる。
【００２５】
キャスター受け具２０は、床面Ｆに対して傾斜する脚管１５の先端開口１６ａから先端部１６内に嵌挿される軸部２１と、この軸部２１と一体形成されて先端開口１６ａからキャスター５ａ側に突出する鍔部２５と、を備える。図中符号Ｃ１は脚管１５（及び軸部２１）の長手方向に沿う中心軸線（断面楕円形状の長軸及び短軸の交点を通る軸線、以下、単に軸線という。）を示す。
【００２６】
軸部２１は、脚管１５の断面楕円形状の長軸に平行な長軸壁２１ａと、脚管１５の断面楕円形状の短軸に平行な短軸壁２１ｂと、で構成される。軸部２１の外周には、軸線方向（軸線Ｃ１に沿う方向）と平行な複数の溝部２１ｃが形成される。長軸壁２１ａは、軸線Ｃ１を通るように単一に設けられ、短軸壁２１ｂは、軸線Ｃ１を避けて該軸線Ｃ１を挟むように一対に設けられる。止めネジ１９を螺合するネジ孔２１ｄを形成する部位は、ネジ孔２１ｄを中心とした筒状部２１ｅとされ、長軸壁２１ａよりも部分的に短軸方向幅を増加させている。
【００２７】
軸部２１は、脚管１５のキャスター５ａ側の先端部１６内に嵌挿されることで、キャスター受け具２０を脚管１５に取り付け可能とする。軸部２１は、鍔部２５にキャスター５ａから接地反力が入力されてもガタつきが生じない程度に、軸線方向で充分な長さを有している。軸部２１は、長軸壁２１ａ及び短軸壁２１ｂの端縁を摺接させて挿入されるので、脚管１５内に嵌挿される際の摩擦抵抗が小さく、脚管１５に対する着脱作業を容易にする。軸部２１を長くすることにより、脚管１５の傾斜角度が大きく軸部２１に大きな負荷がかかる場合にも、キャスター受け具２０が脚管１５に安定的に保持され、ガタつき等が有効に防止される。
【００２８】
キャスター受け具２０における軸部２１のキャスター５ａ側には、軸部２１よりも拡径した厚肉ブロック状の鍔部２５が一体形成されている。鍔部２５は、キャスター５ａにおける垂直支軸５ｂを嵌挿して取り付ける取付孔２５ａを有する。取付孔２５ａは、鍔部２５の下端で下方に開口するとともに、上部が軸部２１における鍔部２５側の端部へ突出するように設けられる。軸部２１における鍔部２５側の端部には、取付孔２５ａの上部を形成する膨出部２５ｂが設けられる。
【００２９】
鍔部２５における取付孔２５ａの下端開口の周囲は、取付孔２５ａと直交し床面Ｆと平行（水平）なキャスター取付面２５ｃとされる。
ここで、脚管１５の先端面１６ｂは、軸線Ｃ１と直交する平面に対し、断面楕円形状の長軸方向の下側が基端側に位置するように傾斜した傾斜面Ｋ１に沿って形成される。鍔部２５は、脚管１５の先端面１６ｂの傾斜と整合するように傾斜した対向面２５ｄを形成する。この対向面２５ｄが脚管１５の先端面１６ｂに対向、当接することで、脚管１５の先端面１６ｂが鍔部２５により覆われる。鍔部２５は、脚管１５よりも僅かに大径に設けられている。
【００３０】
鍔部２５は、脚管１５の先端面１６ｂが前述の如く傾斜することで、床面Ｆに臨む下側が軸線方向で広くなる。このため、キャスター取付面２５ｃを確保し易くなるとともに、キャスター取付面２５ｃの脚管１５側に後述の共回り規制部３５を設け易くなる。
【００３１】
脚管１５の先端部１６には、軸線方向と直交する方向で外周壁１６ｃを貫通し、先端部１６内に挿入された軸部２１のネジ孔２１ｄに螺着される止めネジ１９が取り付けられる。止めネジ１９は、軸部２１の先端部１６からの抜けを規制し、もってキャスター受け具２０の脚管１５からの離脱を規制する。脚管１５の先端部１６の下側には、止めネジ１９の挿通孔１６ｄが形成されている。
【００３２】
＜ワッシャ部材＞
脚管１５の先端部１６の下側には、外周壁１６ｃの下部外周に止めネジ１９用の座面を形成するワッシャ部材３０が取り付けられる。ワッシャ部材３０は、例えばキャスター受け具２０と同様の樹脂材料で一体形成された樹脂成型品であり、止めネジ１９の軸方向から見て、軸線Ｃ１と平行なワッシャ側面３０ｂを有する略矩形状をなし、止めネジ１９の軸方向の厚さを抑えた偏平状に形成される。
【００３３】
ワッシャ部材３０は、脚管１５への取り付け状態で外周壁１６ｃ下側の湾曲外周面（脚外面１７）に整合する湾曲状の整合面３１を形成する。ワッシャ部材３０は、整合面３１と反対側に、脚管１５への取り付け状態で鍔部２５におけるキャスター取付面２５ｃの脚管１５側に形成される鍔部下面２６ａと平坦状に連なるワッシャ下面３０ａを形成する。ワッシャ部材３０の中央部には、止めネジ１９の挿通孔３０ｃが形成されるとともに、止めネジ１９の頭部をワッシャ下面３０ａに対して沈める座刳り３０ｄが形成される。
【００３４】
ワッシャ部材３０は、整合面３１を脚外面１７に整合させることで、止めネジ１９締め込み時の共回りが抑えられるが、ワッシャ部材３０が止めネジ１９と共回りしてしまうと、整合面３１が脚外面１７に整合せずにこれらの間に隙間が生じてしまい、止めネジ１９のトルク管理が難しくなる。そこで、本実施形態では、鍔部２５とワッシャ部材３０との間に、ワッシャ部材３０を鍔部２５に係合させてワッシャ部材３０の止めネジ１９との共回りを規制する共回り規制部３５を備えている。これにより、ワッシャ部材３０の外周壁１６ｃへの整合状態が容易かつ確実になり、止めネジ１９のトルク管理が容易かつ確実になる。
【００３５】
共回り規制部３５は、ワッシャ部材３０における軸線方向で鍔部２５と対向する部位に形成されて鍔部２５側に突出する凸部３５ａと、鍔部２５における軸線方向でワッシャ部材３０と対向する部位に形成されて凸部３５ａを嵌合させる凹部３５ｂと、で構成される。
【００３６】
凸部３５ａは、止めネジ１９の軸方向から見て、ワッシャ部材３０の軸線Ｃ１と直交する方向の幅に対し、同方向の幅を狭めた略矩形状に形成される。
凹部３５ｂは、止めネジ１９の軸方向から見て、凸部３５ａの外形に整合する略矩形状に形成される。凹部３５ｂは、ワッシャ部材３０側に開放するとともに、鍔部２５の下方外周側にも開放し、ワッシャ部材３０側及び下方外周側の何れの側からも凸部３５ａを嵌合可能である。
【００３７】
鍔部２５の下部には、ワッシャ部材３０と連続するように形成された矩形状部２６が設けられる。矩形状部２６は、ワッシャ下面３０ａと平坦状に連なる前記鍔部下面２６ａを形成するとともに、ワッシャ下面３０ａ両側のワッシャ側面３０ｂと平坦状に連なる鍔部側面２６ｂを形成する。これにより、互いに別体のワッシャ部材３０と鍔部２５（キャスター受け具２０）とが連続的に連なるように設けられる。
【００３８】
凹部３５ｂにおける止めネジ１９の軸方向から見た矩形状を形成する内周面３５ｄは、軸部２１のネジ孔２１ｄの軸方向と略平行に形成されている。これにより、キャスター受け具２０の型割り方向を脚管１５の長手方向と交差する方向（径方向）とした場合に、スライド型を用いる等の対策を要することなく、凹部３５ｂとネジ孔２１ｄとを同時に成型することが可能である。図中符号３５ｃは凸部３５ａにおける止めネジ１９の軸方向から見た矩形状を形成する外周面を示す。
【００３９】
＜作用＞
次に、作用について説明する。
キャスター受け具２０を脚管１５に取り付ける際には、まず、キャスター受け具２０の軸部２１を脚管１５の先端部１６内に軸線Ｃ１を一致させて挿入、嵌合させる。軸部２１は、大きな負荷に耐え得るように軸線方向で長さを有するが、軸部２１の外周には複数の溝部２１ｃが形成されて脚管１５内への嵌挿時の摩擦抵抗を軽減しているので、キャスター受け具２０を脚管１５にしっかり保持可能としつつ、キャスター受け具２０の脚管１５への取り付けを容易に行うことができる。
【００４０】
そして、軸部２１の先端部１６からの抜けを規制するべく止めネジ１９を螺着する際、止めネジ１９の座面を形成するワッシャ部材３０を用いることで、円筒状の脚外面１７を形成する脚管１５に対しても止めネジ１９を安定して締め込むことができる。
このとき、ワッシャ部材３０と鍔部２５との間に、ワッシャ部材３０を鍔部２５に係合させてワッシャ部材３０の止めネジ１９との共回りを規制する共回り規制部３５を備えることで、ワッシャ部材３０の止めネジ１９との共回りが容易かつ確実に規制される。このため、脚管１５が湾曲状等の脚外面１７を有するような場合でも、止めネジ１９のトルク管理を容易かつ確実に行うことができる。
【００４１】
ここで、脚管１５が略円筒状をなすとともに接地部（キャスター５ａ）側が低くなるように傾斜していることから、キャスター受け具２０の軸部２１もこれに伴って傾斜する形状をなす。こうした構造の場合、脚管１５の傾斜により軸部２１に作用するモーメントが増大することから、軸部２１には長さが必要となる。このキャスター受け具２０を長手方向の型割りで成型しようとすると、金型を移動させるために軸部２１にテーパ形状を設けた結果、先細りする形状になり、モーメントを十分に支持できないことが懸念される。したがって、軸部２１の長手方向と直交する幅方向（径方向）に金型を移動させる成型を行うことが望ましい。
【００４２】
ところで、軸部２１の幅方向に金型を移動させる成型を行う場合、脚管１５が略円筒状に対応するキャスター受け部にワッシャ部材３０を一体形成しようとすると、脚外面１７への整合面３１を形成する部位を成型することが困難になる。すなわち、ワッシャ部材３０における円筒状の脚外面１７への整合面３１でオーバーハングが生じてしまい、軸部２１の幅方向に金型を直線的に動かすことができず、ワッシャ部材３０周辺を成型するためにスライド型を設ける等の対応が必要になる。しかし、軸部２１の幅方向に移動する金型に隣接して小型のスライド型を設けると、金型の制御が困難になるとともに、成型工程も増加するため、製造コストの増大を招いてしまう。一方、ワッシャ部材３０をキャスター受け具２０と別体に設けた本実施形態では、前述した課題が生じることはない。
【００４３】
また、本実施形態では、互いに別体のワッシャ部材３０とキャスター受け具２０とが連続的に連なる外観を形成することで、止めネジ１９周辺の見栄えが向上する。さらに、ワッシャ部材３０が止めネジ１９の頭部を沈める座刳り３０ｄを備えることもあり、止めネジ１９周辺の凹凸が抑えられ、良好な触感及び掃除のし易さが得られる。しかも、鍔部２５が脚管１５の先端面１６ｂに対向して該先端面１６ｂを覆うように形成されるので、先端面１６ｂの露出及び段差を抑えた上で脚管１５の先端開口１６ａを閉塞することができる。
【００４４】
以上説明したように、本実施形態によれば、キャスター受け具２０及びワッシャ部材３０の間に、ワッシャ部材３０を鍔部２５に係合させてワッシャ部材３０の止めネジ１９との共回りを規制する共回り規制部３５を備えることで、止めネジ１９用のワッシャ部材３０の止めネジ１９との共回りを、ワッシャ部材３０を前記鍔部２５に係合させる共回り規制部３５によって容易かつ確実に規制することができ、脚管１５が湾曲状の脚外面１７を有するような場合でも、止めネジ１９のトルク管理を容易かつ確実に行うことができる。
また、ワッシャ部材３０が、脚管１５への取り付け状態で鍔部２５の外面（鍔部下面２６ａ、鍔部側面２６ｂ）と平坦状に連なるワッシャ外面（ワッシャ下面３０ａ、ワッシャ側面３０ｂ）を備えることで、互いに別体のワッシャ部材３０と鍔部２５（キャスター受け具２０）とが連続的に連なる外観を形成し、止めネジ１９周辺の見栄えを向上させるとともに、止めネジ１９周辺の凹凸を抑え、良好な触感及び掃除のし易さを得ることができる。
【００４５】
なお、本発明は上記実施形態に限られるものではなく、例えば、共回り規制部がワッシャ部材３０に凹部、鍔部２５に凸部を設けた構成でもよい。鍔部２５に代わり軸部２１に対して拡径しない接地部側突部を設けた構成でもよい。キャスター５ａではなく固定脚を設けた構成でもよい。本発明を事務用椅子の脚に適用した例について説明したが、同様の構造を机、棚及びカート等の什器の脚に適用することも可能である。
【符号の説明】
【００４６】
１  椅子（什器）
５ａ  キャスター（接地部）
１５  脚管
１６  先端部
１６ａ  先端開口
１６ｂ  先端面
１６ｃ  外周壁
１９  止めネジ
２０  キャスター受け具（脚端具）
２１  軸部
２１ｄ  ネジ孔
２５  鍔部（接地側突部）
２６ａ  鍔部下面（外面）
２６ｂ  鍔部側面（外面）
３０  ワッシャ部材
３０ａ  ワッシャ下面（ワッシャ外面）
３０ｂ  ワッシャ側面（ワッシャ外面）
３５  共回り規制部
３５ａ  凸部
３５ｂ  凹部
Ｆ  床面
【図１】
0006521508.tif 000002
【図２】
0006521508.tif 000003
【図３】
0006521508.tif 000004
【図４】
0006521508.tif 000005
【図５】
0006521508.tif 000006
【図６】
0006521508.tif 000007